(57)【要約】【課題】パイプ（筒状部材）全体への広がり感のある音像を得る。【解決手段】スピーカ装置１００Ａは、パイプ１０２とスピーカユニット１０３とを備えている。パイプ１０２の一端側および他端側は開放された状態とされている。音声信号に基づいて駆動されるユニット１０３をパイプ１０２の一端側に同軸的に配置する。パイプ１０２を、ユニット１０３からの音波により加振可能な程度に、軽くかつ薄く形成する。ユニット１０３からの音波ＳＷＢはパイプ１０２の内部を通ってパイプ１０２の他端側から外部に放射されるが、その際にパイプ１０２の管壁がこの音波ＳＷＢで加振されて振動し、このパイプ１０２の外面全体から音声信号に対応した音波ＳＷＳが放射される。【選択図】        図５
2007208734.tif 000002
【特許請求の範囲】
【請求項１】
一端側および他端側が開放された筒状部材と、
上記筒状部材と同軸的に、該筒状部材の一端側に配置され、音声信号に基づいて駆動される発音体とを備え、
上記発音体から得られて上記筒状部材の内部を通る音波により該筒状部材の管壁が加振され、該筒状部材の外面全体から外部に上記音声信号に対応した音波が放射される
ことを特徴とするスピーカ装置。
【請求項２】
上記筒状部材は、上記一端側から上記他端側に向かって徐々に径が大きくされている
ことを特徴とする請求項１に記載のスピーカ装置。
【請求項３】
音声信号に基づいて駆動される発音体から得られる音波を、一端側および他端側が開放された筒状部材を用いて外部に放射する音声出力方法であって、
上記発音体を上記筒状部材の一端側に同軸的に配置して、上記発音体から得られる音波が上記筒状部材の内部を通るようにし、
上記筒状部材の管壁を上記内部を通過する音波により加振し、該筒状部材の外面全体から外部に上記音声信号に対応した音波を放射させる
ことを特徴とする音声出力方法。
【発明の詳細な説明】
【技術分野】
【０００１】
この発明は、スピーカ装置および音声出力方法に関する。詳しくは、この発明は、音声信号に基づいて駆動される発音体からの音波により筒状部材の管壁を加振し、この筒状部材の外面全体から外部に音波を放射させることによって、ユーザが、筒状部材の長手方向の各位置で均一な音圧を感じ、筒状部材全体への広がり感のある音像を得ることができるようにしたスピーカ装置および音声出力方法に係るものである。
【背景技術】
【０００２】
従来、例えば特許文献１に記載されるように、一端側および他端側が開放された筒状部材（パイプ）の一端側にスピーカユニットを同軸的に配置した無指向性のスピーカ装置が提案されている。この種のスピーカ装置は、筒状部材が共鳴管として機能し、低域成分を増強できるという効果がある。
【０００３】
【特許文献１】特開２００１−２２４０８９号公報
【発明の開示】
【発明が解決しようとする課題】
【０００４】
上述の特許文献１に記載されるようなスピーカ装置では、スピーカユニットから得られる音波は、この筒状部材の一端側および他端側からのみ外部に放射されるものである。そのため、筒状部材の端部に偏って音像が定位するものであり、筒状部材全体への広がり感のある音像を得ることは困難であった。
【０００５】
この発明の目的は、筒状部材全体への広がり感のある音像を得ることができるスピーカ装置を提供することにある。
【課題を解決するための手段】
【０００６】
この発明の概念は、
一端側および他端側が開放された筒状部材と、
上記筒状部材と同軸的に、該筒状部材の一端側に配置され、音声信号に基づいて駆動される発音体とを備え、
上記発音体から得られて上記筒状部材の内部を通る音波により該筒状部材の管壁が加振され、該筒状部材の外面全体から外部に上記音声信号に対応した音波が放射される
ことを特徴とするスピーカ装置にある。
【０００７】
この発明において、スピーカ装置は、筒状部材と発音体とを備えている。筒状部材の一端側および他端側は開放された状態とされている。発音体は、音声信号に基づいて駆動される。発音体は筒状部材の一端側に同軸的に配置され、従って発音体から得られる音波は筒状部材の内部を通って、この筒状部材の他端側から外部に放射される。これにより、この筒状部材は共鳴管として機能し、低域成分の増強が図られる。
【０００８】
また、筒状部材の内部を通る音波によりこの筒状部材の管壁が加振される。つまり、筒状部材の管壁は音波（空気の粗密）により加振可能な程度に軽くかつ薄くされている。このような音波による加振のため、この筒状部材の外面全体から外部に上述した発音体の駆動に係る音声信号に対応した音波が放射される。これにより、ユーザは、筒状部材の長手方向の各位置で均一な音圧を感じ、筒状部材全体への広がり感のある音像を得ることができる。
【０００９】
例えば、筒型部材は、発音体からの音波が進む方向に向かって徐々に径が大きくされる。これにより、電気的なインダクタンス成分が増すことから、周波数特性の平坦化と共鳴のダンピング効果が得られ、また音波が放射される出口が広くなることから、音像の広がり感が増すという効果がある。
【発明の効果】
【００１０】
この発明によれば、音声信号に基づいて駆動される発音体からの音波により筒状部材の管壁を加振し、この筒状部材の外面全体から外部に音波を放射させるものであり、ユーザが、筒状部材の長手方向の各位置で均一な音圧を感じ、筒状部材全体への広がり感のある音像を得ることができる。
【発明を実施するための最良の形態】
【００１１】
この発明の実施の形態について説明する。図１〜図４は、実施の形態としてのスピーカ装置１００Ａの構成を示している。図１はスピーカ装置１００Ａの斜視図、図２はスピーカ装置１００Ａの縦断面図、図３はスピーカ装置１００Ａの上面図、図４はスピーカ装置１００Ａの底面図である。
【００１２】
このスピーカ装置１００Ａは、ベース筐体１０１と、筒状部材としてのパイプ１０２と、発音体としての動電型アクチュエータを用いたスピーカユニット１０３とを有している。
【００１３】
ベース筐体１０１は、例えば合成樹脂で形成されている。このベース筐体１０１は、全体として円板状に形成されているが、その中央部に円柱状に貫通した開口部１０４が設けられている。このベース筐体１０１の下面外周側に沿って所定本、この実施の形態では３本の脚部１０５が等角間隔で植立されている。
【００１４】
脚部１０５を３本とするとき、これら３本の脚部１０６は設置面に必ず接するため、例えば４本の脚部を設ける場合に比べて、安定した設置が可能となる。また、ベース筐体１０１の下面に脚部１０５を設けることで、ベース筐体１０１の下面を設置面から離間させることができ、このベース筐体１０１の下面側に取り付けられるスピーカユニット１０３からの音波を下面側から外部に放射することを可能としている。
【００１５】
パイプ１０２は、スピーカユニット１０３からの音波により加振可能な程度に、軽くかつ薄く形成されている。例えば、このパイプ１０２は、材料としてポリカーボネートが使用され、その厚みが０．５ｍｍとされている。このパイプ１０２は、その一端側および他端側が開放された状態となっている。このパイプ１０２の一端側の端部である下端部は、上述したベース筐体１０１の上面に、例えば接着剤を用いて固定されている。
【００１６】
このパイプ１０２は、共鳴管として機能させるために、その口径がベース筐体１０１に形成されている開口部１０４の口径とほぼ同一とされると共に、開口部１０４と位置合わせがされた状態で固定されている。
【００１７】
スピーカユニット１０３は、ベース筐体１０１の下面側の開口部１０４に対応した位置に、下方に前面を向けた状態で、例えばビス（図示せず）を用いて取り付けられている。このスピーカユニット１０３は、パイプ１０２と同軸的に配置された状態となっている。このスピーカユニット１０３は、例えばＣＤプレーヤ、ＤＶＤプレーヤ等から得られる音声信号に基づいて駆動される。
【００１８】
このスピーカユニット１０３の前面から出力される正相の音波は、ベース筐体１０１の下面側から外部に放射される。また、このスピーカユニット１０３の背面から出力される逆相の音波は、開口部１０４およびパイプ１０２の内部を通って、パイプ１０２の上端部側から外部に放射される。
【００１９】
図１〜図４に示すスピーカ装置１００Ａの動作を説明する。
【００２０】
ベース筐体１０１の下面側に取り付けられたスピーカユニット１０３は、上述したようにＣＤプレーヤ、ＤＶＤプレーヤ等から得られる音声信号に基づいて駆動され、その前面からは音声信号に対応した正相の音波が得られ、その背面からは音声信号に対応した逆相の音波が得られる。
【００２１】
スピーカユニット１０３の前面から得られる音波ＳＷＦは、図５に示すように、ベース筐体１０１の下面側から外部に放射される。また、このスピーカユニット１０４の背面から得られる音波ＳＷＢは、図５に示すように、開口部１０４およびパイプ１０２の内部を通って、パイプ１０２の上端部側から外部に放射される。この場合、パイプ１０２は共鳴管として機能し、低域成分の増強が図られる。
【００２２】
また、上述したようにパイプ１０２は音波により加振可能な程度に軽くかつ薄くされているので、その内部を通る音波（空気の粗密）ＳＷＢによりこのパイプ１０２の管壁が加振される。このような音波による加振のため、パイプ１０２の管壁はその音波ＳＷＢに対応して振動し、図５に示すように、このパイプ１０２の外面全体から外部に、上述したスピーカユニット１０４の駆動に係る音声信号に対応した音波ＳＷＳが放射される。
【００２３】
図１〜図４に示すスピーカ装置１００Ａによれば、音声信号に基づいて駆動されるスピーカユニット１０３からの音波によりパイプ１０２の管壁を加振し、このパイプ１０２の外面全体から外部にスピーカユニット１０３の駆動に係る音波ＳＷＳを放射させる構成となっているので、ユーザが、パイプ１０２の長手方向の各位置で均一な音圧を感じ、パイプ１０２全体への広がり感のある音像を得ることができる。
【００２４】
しかも、パイプ１０２はスピーカユニット１０３が配置される一端側だけでなく、他端側も開放された状態とされているので、パイプ１０２は共鳴管として機能し、低域成分の増強効果が発揮され、従ってパイプ１０２の外面全体から放射される音波ＳＷＳも低域が増強されたものとなり、ユーザは良好な音声出力を得ることができる。
【００２５】
次に、この発明の他の実施の形態について説明する。図６は、実施の形態としてのスピーカ装置１００Ｂの構成を示している。図６はスピーカ装置１００Ｂの斜視図を示している。この図６において、図１と対応する部分には同一符号を付し、その詳細説明は省略する。
【００２６】
このスピーカ装置１００Ｂにおいては、図１に示すスピーカ装置１００Ａにおけるパイプ１０２の代わりにパイプ１０２Ｂが配設されたものである。このパイプ１０２Ｂは、スピーカユニット１０３からの音波が進む方向（図においては上方）に向かって徐々に径が大きくされている。
【００２７】
このスピーカ装置１００Ｂのその他は、図１に示すスピーカ装置１００Ａと同様に構成されている。このスピーカ装置１００Ｂは、図１に示すスピーカ装置１００Ａと同様に動作する。
【００２８】
このスピーカ装置１００Ｂによれば、上述のスピーカ装置１００Ａと同様の効果を得ることができる他、以下の効果をも得ることができる。すなわち、パイプ１０２Ｂがスピーカユニット１０３からの音波が進む方向に向かって徐々に径が大きくされているので、電気的なインダクタンス成分が増すことから、周波数特性の平坦化と共鳴のダンピング効果を得ることができ、さらに音波が放射される出口が広くなることから、音像の広がり感が増すという効果がある。
【００２９】
なお、上述実施の形態においては、発音体（トランスデューサ）として動電型アクチュエータを用いたスピーカユニット１０３を使用したが、その他のアクチュエータ、例えば磁歪アクチュエータ、圧電型アクチュエータ等を用いた発音体であってもよい。
【産業上の利用可能性】
【００３０】
この発明は、パイプ（筒状部材）全体への広がり感のある音像を得ることができるものであり、オーディオビュジュアル装置におけるスピーカ装置等に適用できる。
【図面の簡単な説明】
【００３１】
【図１】実施の形態としてのスピーカ装置１００Ａの構成を示す斜視図である。
【図２】実施の形態としてのスピーカ装置１００Ａの構成を示す縦断面図である。
【図３】実施の形態としてのスピーカ装置１００Ａの構成を示す上面図である。
【図４】実施の形態としてのスピーカ装置１００Ａの構成を示す底面図である。
【図５】パイプの外面全体からの音波の放射を説明するための図である。
【図６】実施の形態としてのスピーカ装置１００Ｂの構成を示す斜視図である。
【符号の説明】
【００３２】
１００Ａ，１００Ｂ・・・スピーカ装置、１０１・・・ベース筐体、１０２，１０２Ｂ・・・パイプ、１０３・・・スピーカユニット、１０４・・・開口部、１０５・・・脚部
【図１】
2007208734.tif 000003
【図２】
2007208734.tif 000004
【図３】
2007208734.tif 000005
【図４】
2007208734.tif 000006
【図５】
2007208734.tif 000007
【図６】
2007208734.tif 000008